(57)【特許請求の範囲】
【請求項１】
容器本体に装着される外枠と、外枠内側に段部を介して落ち込んで連結されるとともに取出口が形成された上板とを有する蓋本体と、
この蓋本体に揺動自在に取付けられ、前記取出口を密閉する開閉蓋とを備え、
前記蓋本体と前記開閉蓋との間の揺動部に、開閉蓋を開方向に向って付勢する弾性付勢手段を設け、
前記外枠のうち開閉蓋の自由端側部分に、外枠の内側に位置しかつ外枠から下方へ落ち込む切込部を形成するとともに、この切込部内に切込部の底面から垂直方向に立上がる垂直板を設け、外枠、上板、切込部および垂直板からなる蓋本体は、インジェクション成形により一体に成形され、
開閉蓋の自由端に係止部を設けるとともに、垂直板の開閉蓋側に開閉蓋の係止部に係合する係合部を設け、垂直板と外枠との間は互いに分離され、垂直板を垂直板から分離された外枠側へ水平方向に押圧することにより垂直板が外枠側へ撓んで係止部と係合部の係合が解除することを特徴とする蓋装置。
【発明の詳細な説明】
【０００１】
【発明の属する技術分野】
本発明は、容器本体の開口を密閉する蓋装置に係り、とりわけワンタッチで開口することができる蓋装置に関する。
【０００２】
【従来の技術】
内容物、例えばウェットティッシュを内部に収納する容器本体は、その開口が蓋装置により密閉される。
【０００３】
このような蓋装置は、容器本体に装着されるとともに取出口を有する蓋本体と、この蓋本体に揺動自在に取付けられた開閉蓋とを備えている。
【０００４】
使用に際しては、蓋本体に対して開閉蓋が開かれ、蓋本体に形成された取出口からウェットティッシュが一枚ずつ取出される。
【０００５】
【発明が解決しようとする課題】
上述のように、蓋装置は蓋本体と、この蓋本体に対して揺動自在に取付けられた開閉蓋とを備えており、使用に際しては開閉蓋をいちいち揺動させて開いている。
【０００６】
このような場合、開閉蓋を確実にワンタッチで開くことができれば都合が良い。
【０００７】
本発明はこのような点を考慮してなされたものであり、容易かつ確実に開閉蓋を開くことができる蓋装置を提供することを目的とする。
【０００８】
【課題を解決するための手段】
本発明は、容器本体に装着される外枠と、外枠内側に段部を介して落ち込んで連結されるとともに取出口が形成された上板とを有する蓋本体と、この蓋本体に揺動自在に取付けられ、前記取出口を密閉する開閉蓋とを備え、前記蓋本体と前記開閉蓋との間の揺動部に、開閉蓋を開方向に向って付勢する弾性付勢手段を設け、前記外枠のうち開閉蓋の自由端側部分に、外枠の内側に位置しかつ外枠から下方へ落ち込む切込部を形成するとともに、この切込部内に切込部の底面から垂直方向に立上がる垂直板を設け、外枠、上板、切込部および垂直板からなる蓋本体は、インジェクション成形により一体に成形され、開閉蓋の自由端に係止部を設けるとともに、垂直板の開閉蓋側に開閉蓋の係止部に係合する係合部を設け、垂直板と外枠との間は互いに分離され、垂直板を垂直板から分離された外枠側へ水平方向に押圧することにより垂直板が外枠側へ撓んで係止部と係合部の係合が解除することを特徴とする蓋装置である。
【０００９】
本発明によれば、垂直板を水平方向に押圧することにより外枠を撓ますことなく垂直板が撓んで、係止部と係合部の係合が解除され、開閉蓋が弾性付勢部材によって開く。
【００１０】
【発明の実施の形態】
以下、図面を参照して本発明の実施の形態について説明する。図１乃至図３は本発明による蓋装置の一実施の形態を示す図である。
【００１１】
図１乃至図３に示すように、ウェットティッシュ容器１０は、内部にウェットティッシュ４１（図４参照）を収納する上方開口型の容器本体１１と、容器本体１１に嵌込まれる蓋装置２０とを備えている。容器本体１１の開口周縁部にはフランジ部１２が設けられ、このフランジ部１２は後述する蓋装置２０の周縁突部３４内に嵌込まれる。
【００１２】
また蓋装置２０は、容器本体１１の開口を密閉する蓋本体２１と、蓋本体２１に揺動軸７７を介して揺動自在に取付けられた開閉蓋２３とを有している。揺動軸７７は開閉蓋２３に一体的に形成され、揺動軸７７が蓋本体２１の図示しない受部に挿入されて、蓋本体２１に開閉蓋２３が揺動自在に取付けられるようになっている（図１）。
【００１３】
また蓋本体２１はその略中央部の第１上板（第１薄板）２７ａと、第１上板２７ａの外側に設けられ、第１上板２７ａより高い位置にある第２上板（第２薄板）２７ｂと、第２上板２７ｂの外側に段部２８を介して設けられた外枠３３とを有している。このように、第１上板２７ａと第２上板２７ｂは、段部２８を介して外枠３３から落ち込んで形成されている。また第１上板２７ａには、ウェットティッシュ４１を取出すための取出口２４が設けられ、取出口２４の周縁に周縁部２４ａが設けられるとともに、この周縁部２４ａは、下方部において曲線状の断面を有している。このためウェットティッシュ４１が取出口２４の周縁部２４ａを通過する際、周縁部２４ａに引掛ることなくスムースに通過することができる。また上述のように外枠３３の周縁には、容器本体１１のフランジ部に外側に嵌込まれる周縁突部３４が設けられている。
【００１４】
開閉蓋２３の内面には、第１上板２７ａと第２上板２７ｂとを隔てる段部８６に嵌込まれる枠体８５が設けられている。そして、揺動軸７７を中心として開閉蓋２３を回動し、段部８６に枠体８５を嵌込むことによって、開閉蓋２３が取出口２４を密閉するようになっている。
【００１５】
さらに図１および図２に示すように、開閉蓋２３の自由端には係止片３２が設けられている。
【００１６】
他方、蓋本体２１の外枠３３のうち開閉蓋２３の自由端側部分に、外枠３３から下方へ落ち込む切欠部９１が形成され、この切欠部９１内に外枠３３から分離された垂直板９０が設けられている。すなわち切欠部９１内には第２上板２７ｂと略同一高さに底面９２が設けられ、垂直板９０は外枠３３から分離された状態で底面９２から垂直方向に延びている。
【００１７】
また垂直板９０の開閉蓋２３側の面には、開閉蓋２３の係止片３２に係合する係合突起７９が設けられている。さらに垂直板９０は可撓性を有し、垂直板９２を水平方向に押圧することにより垂直板９０が撓んで、開閉蓋２３の係止片３２と垂直板９２の係合突起７９との係合が解除するようになっている。
【００１８】
また図１に示すように蓋本体２１と開閉蓋２３との間の揺動軸７７上に、開閉蓋２３を開方向に向って付勢する細長状の板ゴム５０が設けられている。すなわち、蓋本体２１には、板ゴム５０の一端を差込み収納する収納部７５が設けられ、また開閉蓋２３には蓋本体２１から所定間隔をおいて配置されるとともに板ゴム５０の他端を固着する固着部７６が設けられている。
【００１９】
また図１に示すように、蓋本体２１の収納部７５近傍に、開閉蓋２３の閉時に板ゴム５０が湾曲した場合、この板ゴムを受入れる受入部７８が設けられている。
【００２０】
蓋本体２１に対して開閉蓋２３が閉となった場合、板ゴム５０は揺動軸７７から離れる方向に湾曲し、開閉蓋２３を開方向に向って付勢するようになっている。この場合、湾曲した板ゴム５０は、受入部７８内にスムーズに受入れられる。このため、開閉蓋２３の閉時に板ゴム５０が蓋本体２１と開閉蓋２３との間に挟まれて板ゴム５０に傷をつけることはない。
【００２１】
図１において板ゴム５０は１個設けられているが、２個以上任意の数だけ設けてもよい。
【００２２】
なお、上述したウェットティッシュ用容器１０を構成する容器本体１１および蓋装置２０は、いずれもポリプロピレン（ＰＰ）を用いたインジェクション成形により得られる。また容器本体１１および蓋装置２０については、この他にＰＥ、ＰＳ、ＡＢＳ、エラストマー、ＰＥＴ、ＰＶＣ、ポリカーボネートを用いて成形してもよい。
【００２３】
次に図２により、容器本体１１内に収納されるウェットティッシュ４１について説明する。図２（ａ）に示すように、ウェットティッシュ４１は柔軟なシートからなる密閉袋４０内で折畳まれて積層配置され、この密閉袋４０によって密閉される。各ウェットティッシュ４１は折曲部４２を形成して略二つ折りされ、各ウェットティッシュ４１の折曲部４２は交互に入れ替わっている。またウェットティッシュ４１の二つ折りされた下半分４１ｂは、下方に配置するウェットティッシュ４１の上半分４１ａと更に下方に位置するウェットティッシュ４１の上半分４１ａとの間に挿入されている。このためウェットティッシュ４１を一枚ずつ摘んで取出した場合、取出したウェットティッシュ４１の下半分４１ｂが、下方に位置するウェットティッシュ４１の上半分４１ａを引張り上げるようになっている。なお、ウェットティッシュ４１の折り方は、連続的に取り出すことができるように積層配置されていればよく、特に限定されるものではなく、例えば図２（ｂ）のような折り方であってもよい。また密閉袋４０の上端に開口４０ａが設けられ、この開口４０ａは密閉袋４０上面に取外自在に貼付けられた蓋片４５により密閉されている。
【００２４】
ウェットティッシュ４１の素材としては、例えば、不織布、紙、ガーゼ等の繊維素材やシート状の発泡体、または紙ベースの軟質材料が用いられる。またウェットティッシュに含浸させる液体としては、殺菌剤、消毒剤、洗浄剤等を含んだ湿潤剤や化粧水や乳液等の化粧品が考えられる。
【００２５】
次にこのような構成からなる本実施の形態の作用について説明する。
まず、板ゴム５０の一端が蓋本体２１の収納部７５内に差込み収納されるが、板ゴム５０の他端は予め開閉蓋２３に固着部７６により固着されている。
【００２６】
次に容器本体１１内に密閉袋４０によって密閉されたウェットティッシュ４１が収納され、その後容器本体１１のフランジ部１２の外側に、蓋装置２０の周縁突部３４が嵌込まれ、容器本体１１の上方開口が蓋装置２０によって密閉される。次に蓋装置２０の開閉蓋２３が蓋本体２１に対して閉となり、係止片３２に係合突起７９が係合して蓋本体２１の取出口２４が開閉蓋２３により密閉される。このとき板ゴム５０は揺動軸７７から離れる方向に湾曲し、開閉蓋２３を開方向に向って付勢する。
【００２７】
また図１に示すように、板ゴム５０は蓋本体２１から所定間隔をおいて配置された固着部７６により固着されているので、板ゴム５０は開閉蓋２３のうち揺動端から少し内側に入った固着部７６を作用点として開閉蓋２３を上方へ持ち上げる。一般にウェットティッシュ容器１０は夏場の室内等、比較的高温室内で用いられるため、蓋本体２１および開閉蓋２３は軟化しやすくなっている。本願発明によれば、板ゴム５０が開閉蓋２３のうち揺動端から少し内側に入った作用点を上方に持ち上げるので、揺動端を作用点とする場合に比べて開閉蓋２３の揺動端の変形を防止することができる。
【００２８】
ウェットティッシュ４１の使用時には、垂直板９０を水平方向に押圧することにより、外枠３３を撓ますことなく垂直板９０が撓み、係止片３２と係合突起７９との係合が解除される。この場合、板ゴム５０の復元力により、開閉蓋２３は揺動軸７７を中心として回動し、開閉蓋２３が開となる。
【００２９】
次に蓋本体２１の取出口２４からウェットティッシュ４１を指で摘んで上方へ引張る。その後、連続して、ウェットティッシュ４１を引張ることにより、第１番目のウェットティッシュ４１を容器本体１１内から取出すことができる。この場合、第２番目のウェットティッシュ４１の上半分４１ａが、第１番目のウェットティッシュ４１の下半分４１ｂによって引張られる。そして、第２番目のウェットティッシュ４１の上半分４１ａが、取出口２４の周縁部２４ａに引掛かった時点で、第２番目のウェットティッシュ４１が停止する。
【００３０】
以上のように本実施の形態によれば、垂直板９０を水平方向に押圧することにより、外枠３３を撓ますことなく垂直板９０が撓むので、垂直板９０に設けられた係合突起７９と開閉蓋２３の係止片３２との係合を直接的かつ確実に解除することができる。
【００３１】
【発明の効果】
本発明によれば、垂直板を水平方向に押圧することにより垂直板が撓むので、垂直板に設けられた係合突起と開閉蓋の係止片との係合を直接的かつ確実に解除することができる。このため開閉蓋を開いて内容物を確実に取出すことができる。
【図面の簡単な説明】
【図１】本発明による蓋装置が組込まれたウェットティッシュ用容器の全体斜視図。
【図２】ウェットティッシュを収納した密閉袋を示す側断面図。
【図３】切込部および垂直板を示す拡大断面図。
【符号の説明】
１０  ウェットティッシュ用容器
１１  容器本体
２０  蓋装置
２１  蓋本体
２３  開閉蓋
２４  取出口
３２  係止片
４０  密閉袋
４１  ウェットティッシュ
５０  板ゴム
７５  収納部
７６  固着部
７７  揺動軸
７９  係合突起
９０  垂直板
９１  切込部
【図１】
0004408459.tif 000002
【図２】
0004408459.tif 000003
【図３】
0004408459.tif 000004